(57)【要約】【課題】放送を受信する車載装置が車両の各走行エリアで適切な放送チャンネルを設定することができる放送受信システムを提供すること。【解決手段】情報提供装置が各車載装置から受信したプローブ情報のうち、正当と判定したプローブ情報のみを用いて各走行エリアで受信可能な放送チャンネルに関するエリア情報を更新して各車載装置へ送信し、各車載装置が情報提供装置から受信したエリア情報に基づき、各走行エリアにおいて受信可能な放送チャンネルを設定するように放送受信システムを構成する。【選択図】        図２
2011139173.tif 000002
【特許請求の範囲】
【請求項１】
車両に搭載されて放送を受信する車載装置と、前記車両の走行エリアで受信可能な放送チャンネルに関するエリア情報を前記車載装置へ送信する情報提供装置とを含む放送受信システムであって、
前記情報提供装置は、
複数の前記車載装置から前記放送チャンネル毎の受信強度および前記車両の位置を含むプローブ情報を受信する受信手段と、
前記受信手段によって新たに受信されたプローブ情報および該新たに受信されたプローブ情報が送信された前記走行エリアから既に受信されている前記プローブ情報に含まれる各前記受信強度に基づき、前記新たに受信されたプローブ情報の正当性を判定する判定手段と、
前記判定手段によって正当と判定された前記新規プローブ情報を用いて前記エリア情報を更新する更新手段と
を備え、
前記車載装置は、
前記情報提供装置から前記エリア情報を受信するエリア情報受信手段と、
前記車両の前記走行エリアを判定するエリア判定手段と、
前記エリア情報受信手段によって受信された前記エリア情報に基づき、前記エリア判定手段によって判定された前記走行エリアで受信可能な前記放送チャンネルを設定する設定手段と
を備えたことを特徴とする放送受信システム。
【請求項２】
前記車載装置の前記設定手段は、
前記エリア判定手段によって前記車両の前記走行エリアの切替が行われたと判定された場合に、前記切替後の前記走行エリアに関する前記エリア情報から抽出した前記放送チャンネルを設定することを特徴とする請求項１に記載の放送受信システム。
【請求項３】
前記エリア情報は、
前記走行エリア毎に受信可能な前記放送チャンネルおよび該放送チャンネルの前記受信強度が対応付けられた情報であり、
前記車載装置の前記設定手段は、
前記エリア情報から前記放送チャンネルを抽出する場合、前記受信強度が高い順に前記放送チャンネルを抽出することを特徴とする請求項２に記載の放送受信システム。
【請求項４】
前記エリア情報は、
前記放送チャンネル毎に固有の識別コードが対応付けられた情報であり、
前記車載装置は、
前記放送チャンネルを使用している放送局の局名および該放送チャンネルの前記識別コードを対応付けたテーブルを記憶するテーブル記憶手段と、
前記放送チャンネルに対応する前記識別コードを前記エリア情報から抽出し、該識別コードに対応する前記局名を前記テーブルから抽出する局名抽出手段と
をさらに備えたことを特徴とする請求項１〜３のいずれか１つに記載の放送受信システム。
【請求項５】
前記エリア情報は、
前記走行エリア毎に受信可能な前記放送チャンネルおよび該放送チャンネルの前記受信強度が対応付けられた情報であり、
前記車載装置は、
前記車両が走行先に存在する前記走行エリアへ進入する前に、前記走行先に存在する走行エリアで現在よりも高い受信強度で現在受信中の前記放送チャンネルと同一放送を受信可能な他の前記放送チャンネルを前記エリア情報から検索する検索手段
をさらに備え、
前記車載装置の前記設定手段は、
前記エリア判定手段によって前記車両の前記走行エリアが前記走行先に存在する走行エリアへ切替わったと判定された場合に、前記検索手段による検索結果に基づき、受信する前記放送チャンネルを設定することを特徴とする請求項１〜４のいずれか１つに記載の放送受信システム。
【請求項６】
前記車載装置は、
前記車両が走行先に存在する前記走行エリアへ進入する前に、前記走行先に存在する走行エリアで設定すべき前記放送チャンネルに関する前記エリア情報の要求を前記情報提供装置へ送信する要求送信手段
をさらに備え、
前記車載装置の前記設定手段は、
前記エリア判定手段によって前記車両の前記走行エリアが前記走行先に存在する走行エリアへ切替わったと判定された場合、前記エリア情報受信手段によって受信された前記設定すべき放送チャンネルに関する前記エリア情報に基づき、受信する前記放送チャンネルを設定することを特徴とする請求項１〜４のいずれか１つに記載の放送受信システム。
【発明の詳細な説明】
【技術分野】
【０００１】
本発明は、放送受信システムに関するものであり、特に、放送を受信する車載装置が車両の各走行エリアにおいて適切な放送チャンネルを設定することができる放送受信システムに関する。
【背景技術】
【０００２】
従来、放送受信装置が存在する場所で受信可能な放送チャンネルに関する情報を、所定のサーバから提供する放送システムがある。そして、かかる放送システムを実現するには、サーバは、各エリア別に受信可能な放送チャンネルを記憶したデータベースを構築する必要がある。
【０００３】
ここで、各エリア別に受信可能な放送チャンネルを記憶したデータベースを構築する技術としては、たとえば、特許文献１に記載の技術がある。特許文献１に記載の技術では、各放送受信装置が受信中の放送チャンネルに関する受信状況および放送受信装置の位置を示す情報を、所定の集計センタが受信する。
【０００４】
そして、集計センタは、受信した情報を、かかる情報に含まれる位置に応じて各エリアに対応付けて蓄積することで各エリア別に受信可能な放送チャンネルのデータベースを構築する。
【０００５】
ところで、車載型の放送受信装置は、車両の走行にともない、それまで受信可能であった放送が受信不可能となる場合がある。このような場合に、放送受信装置がこれまで受信可能であった放送と同一内容の放送を受信可能な他の放送チャンネルへ自動的に放送チャンネルの切換えを行う技術がある。
【０００６】
たとえば、特許文献２には、放送受信装置が予め任意の放送局から各放送局を中心とする放送の電界強度（受信強度）に関する情報を取得して記憶する技術が開示されている。
【０００７】
そして、特許文献２に記載の技術では、放送受信装置は、車両の走行中に放送が受信不可能となった場合に、放送局から取得した情報に基づき、受信不可能となった放送と同一内容の放送を受信可能な他の放送チャンネルへ自動的に切換える。したがって、放送受信装置は、車両の走行中に同一内容の放送を継続して受信することができる。
【先行技術文献】
【特許文献】
【０００８】
【特許文献１】特開２００５−２５２９６５号公報
【特許文献２】特開２００２−１４１８１９号公報
【発明の概要】
【発明が解決しようとする課題】
【０００９】
しかしながら、上記特許文献２に記載の技術を用いた場合、車載装置は、車両の各走行エリアで適切な放送チャンネルを設定することができない恐れがあるという問題があった。
【００１０】
すなわち、特許文献２に記載の技術において、車載装置が車両の各走行エリアで適切な放送チャンネルを設定できるか否かは、放送局から送信される情報の信頼性に依存している。
【００１１】
したがって、車載装置は、放送局から送信される情報の信頼性が低いと、車両の各走行エリアで適切な放送チャンネルを設定することができない場合がある。
【００１２】
このため、放送局から送信される情報に替えて、上記特許文献１に記載の技術によるデータベースの情報を用いることも考えられるが、特許文献１に記載のデータベースには信頼性の面で問題がある。
【００１３】
たとえば、特許文献１に記載の技術では、放送の受信機能が故障した放送受信装置は、実際には受信可能なエリアであるにも関わらず、受信不可能である旨の受信状況を集計センタへ送信してしまう。しかし、集計センタは、このような誤った受信状況をデータベースの構築に使用するため、データベース自体の信頼性が損なわれてしまう。
【００１４】
このように、従来は、車載装置が各走行エリアにおいて適切な放送チャンネルを設定することができない恐れがあるという問題があった。
【００１５】
本発明は、上記に鑑みてなされたものであって、放送を受信する車載装置が車両の各走行エリアにおいて適切な放送チャンネルを設定することができる放送受信システムを提供することを目的とする。
【課題を解決するための手段】
【００１６】
上記課題を解決し、目的を達成するために、本発明は、車両に搭載されて放送を受信する車載装置と、前記車両の走行エリアで受信可能な放送チャンネルに関するエリア情報を前記車載装置へ送信する情報提供装置とを含む放送受信システムであって、前記情報提供装置は、複数の前記車載装置から前記放送チャンネル毎の受信強度および前記車両の位置を含むプローブ情報を受信する受信手段と、前記受信手段によって新たに受信されたプローブ情報および該新たに受信されたプローブ情報が送信された前記走行エリアから既に受信されている前記プローブ情報に含まれる各前記受信強度に基づき、前記新たに受信されたプローブ情報の正当性を判定する判定手段と、前記判定手段によって正当と判定された前記新規プローブ情報を用いて前記エリア情報を更新する更新手段とを備え、前記車載装置は、前記情報提供装置から前記エリア情報を受信するエリア情報受信手段と、前記車両の前記走行エリアを判定するエリア判定手段と、前記エリア情報受信手段によって受信された前記エリア情報に基づき、前記エリア判定手段によって判定された前記走行エリアで受信可能な前記放送チャンネルを設定する設定手段とを備えたことを特徴とする。
【発明の効果】
【００１７】
本発明によれば、車載装置は、情報提供装置が正当と判定したプローブ情報のみを用いて更新したエリア情報に基づき、車両の各走行エリアで受信可能な放送チャンネルを設定するため、各走行エリアで適切な放送チャンネルを設定することができるという効果を奏する。
【図面の簡単な説明】
【００１８】
【図１】図１は、従来における放送受信システムの概要を示す図である。
【図２】図２は、本発明における放送受信システムの概要を示す図である。
【図３】図３は、本実施例に係る放送受信システムの構成を示すブロック図である。
【図４】図４は、本実施例に係るプローブ履歴の一例を示す図である。
【図５】図５は、本実施例に係る最適ＤＢの一例を示す図である。
【図６】図６は、本実施例に係る正規分布および正当範囲の設定手順ならびに受信強度の正当性判定手順の一例を示す図である。
【図７】図７は、本実施例に係る自車履歴比較判定部および全車履歴比較判定部による判定手順を示す図である。
【図８】図８は、本実施例に係る最適ＤＢの構築手順の一例を示す図である。
【図９】図９は、本実施例に係る受信可能チャンネル設定部の構成を示すブロック図である。
【図１０】図１０は、本実施例に係るエリアプリセットの手順を示す図である。
【図１１】図１１は、本実施例に係るネットワークフォローの手順を示す図である。
【図１２】図１２は、本実施例に係る最適ＤＢ構築処理の処理手順を示すフローチャートである。
【図１３】図１３は、本実施例に係る正規分布作成処理の処理手順を示すフローチャートである。
【図１４】図１４は、本実施例に係るプローブ情報の正当性判定処理の処理手順を示すフローチャートである。
【図１５】図１５は、本実施例に係るエリアプリセット処理の処理手順を示すフローチャートである。
【図１６】図１６は、本実施例に係るネットワークフォロー処理の処理手順を示すフローチャートである。
【図１７】図１７は、本変形例に係るネットワークフォロー処理の処理手順を示すフローチャートである。
【図１８】図１８は、本変形例に係るネットワークフォロー処理を実現するために情報提供装置が実行する処理を示すフローチャートである。
【発明を実施するための形態】
【００１９】
以下に添付図面を参照して、本発明に係る放送受信システムの実施例を詳細に説明する。まず、実施例の詳細な説明に先立って、本発明における放送受信システムの概要について、従来における放送受信システムと対比して説明する。図１は、従来における放送受信システムの概要を示す図であり、図２は、本発明における放送受信システムの概要を示す図である。
【００２０】
以下では、車両に搭載される放送受信装置（以下、「車載装置」という。）が車両の走行エリアにおいて受信可能な放送チャンネルを設定し、設定した放送チャンネルで放送を受信する放送受信システムを例に挙げて説明する。
【００２１】
なお、ここでの走行エリアとは、地図上の領域を分割した各分割領域を示すものであり、車載装置を搭載した車両が走行するエリアのことである。以下の説明では、各走行エリアを一辺が１Ｋｍの正方形（いわゆる「３次メッシュ」）として説明するが、各走行エリアの一辺は１Ｋｍに限定するものではない。また、各走行エリアの形状は、正方形に限定するものではない。
【００２２】
また、本発明に係る放送受信システムは、車載装置による放送受信に限定するものではなく、たとえば、家庭用テレビ受像機や携帯ラジオなどといった任意の放送受信装置による放送受信に対して適用することができる。
【００２３】
図１に示すように、従来における放送受信システムは、各車両に搭載されて放送を受信する車載装置と、各走行エリアで受信可能な放送チャンネルに関する情報（以下、「エリア情報」という。）を各車載装置へ提供する情報提供装置とによって構成されている。
【００２４】
同図に示す放送受信システムでは、Ｘエリア、Ｙエリア、Ｚエリアという異なる走行エリアを走行中の各車両（車載装置）が所定の集計センタに設けられた情報提供装置へプローブ情報を送信する（同図の（１）参照）。
【００２５】
ここで、情報提供装置へ送信される各プローブ情報には、各車両の位置および各車載装置が受信している放送チャンネルの受信状況が含まれている。そして、情報提供装置は、各車両から受信したプローブ情報を用いて、走行エリア毎に受信可能な放送チャンネルを記憶したデータベース（以下、「ＤＢ」という。）を構築する（同図の（２）参照）。
【００２６】
たとえば、情報提供装置で受信されたプローブ情報がＸエリアを走行中の車両から送信されたもので、所定の放送チャンネルで放送を受信可能なことを示す受信状況を含んでいたとする。
【００２７】
かかるプローブ情報を受信した場合、情報提供装置は、上記所定の放送チャンネルをＸエリアで受信可能な放送チャンネルとしてＤＢへ記憶させる。そして、情報提供装置は、各車両から受信したプローブ情報を用いて各走行エリアで受信可能な放送チャンネルに関するエリア情報を更新しながらＤＢ構築する。
【００２８】
そして、情報提供装置は、ＤＢに蓄積したエリア情報を所定のタイミングで各車両の車載装置へ送信することでエリア情報の提供を行う（同図の（３）参照）。かかるエリア情報を受信した各車載装置は、車両の走行エリアで受信可能な放送チャンネルの設定を行う（同図の（４）参照）。
【００２９】
これにより、車載装置は、設定した複数の放送チャンネルのなかからユーザが所望の放送チャンネルを選択すると、選択された放送チャンネルを選局して放送を受信する。
【００３０】
しかし、同図に示す放送受信装置は、情報提供装置から受信するエリア情報の信頼性に問題があったため、車両の各走行エリアで適切な放送チャンネルを設定することができない恐れがあった。
【００３１】
すなわち、従来の情報提供装置によって更新されたエリア情報は、各走行エリアでの受信環境の経年変化や各車載装置の状態などを考慮せずに更新されていたため、信頼性に欠けるという問題があった。
【００３２】
このため、車載装置は、車両の走行エリアでは受信不可能な放送チャンネルを受信可能な放送チャンネルとして設定したり、受信可能な放送チャンネルを設定しなかったりする恐れがある。
【００３３】
たとえば、Ｘエリアに以前は存在しなかった高層建築物が新たに建設された場合、高層建築物の周辺で局地的に所定の放送チャンネルが受信できない受信不可能領域が形成されることがある。そして、受信不可能領域を走行している車両の車載装置は、情報提供装置へＸエリアで所定の放送チャンネルが受信不可能であることを示すプローブ情報を送信する。
【００３４】
このため、情報提供装置は、実際にはＸエリア内の大半の領域で上記所定の放送チャンネルが受信可能であっても、Ｘエリアでは受信不可能である旨の誤ったエリア情報をＤＢへ記憶させる恐れがある。
【００３５】
また、たとえば、放送受信機能が故障している車載装置の場合、実際には所定の放送チャンネルを受信可能なＸエリアにあるにもかかわらず、情報提供装置へＸエリアから所定の放送チャンネルを受信不可能であることを示すプローブ情報を送信することがある。
【００３６】
このため、情報提供装置は、受信機能が故障している車載装置からプローブ情報を受信した場合、実際には所定の放送チャンネルが受信可能なＸエリアで、所定の放送チャンネルが受信不可能である旨の誤ったエリア情報をＤＢへ記憶させる恐れがある。
【００３７】
このように、エリア情報が誤っていた場合、車載装置は、車両の走行エリアでは受信不可能な放送チャンネルを受信可能な放送チャンネルとして設定したり、受信可能な放送チャンネルを設定しなかったりする恐れがある。
【００３８】
そこで、本発明における放送受信システムでは、情報提供装置が各車載装置から受信した各プローブ情報の正当性を判定し、正当と判定したプローブ情報だけを用いて構築した信頼性の高い最適ＤＢからエリア情報を抽出して各車載装置へ送信する。
【００３９】
そして、各車載装置は、情報提供装置から信頼性の高いエリア情報を受信し、受信したエリア情報に基づいて車両の走行エリアにおいて受信可能な放送チャンネルの設定を行う。
【００４０】
このため、本発明によれば、各車載装置は、信頼性が向上したエリア情報に基づいて放送チャンネルの設定を行うことができるため、各走行エリアで適切な放送チャンネルを設定することができる。
【００４１】
具体的には、本発明における放送受信システムは、図２に示すように、各車両に搭載されて放送を受信する車載装置と、各走行エリアで受信可能な放送チャンネルに関するエリア情報を最適ＤＢから抽出して各車載装置へ提供する情報提供装置１とによって構成している。
【００４２】
同図に示す放送受信システムでは、各車載装置は、情報提供装置１へプローブ情報を送信する（同図の（１）参照）。なお、ここでは、ＸエリアおよびＹエリアにある車載装置の放送受信機能が正常であり、Ｚエリアにある車載装置の放送受信機能が異常（故障）の場合を例に挙げて説明する。
【００４３】
そして、図２に示す情報提供装置１は、各車載装置からプローブ情報を受信すると、受信したプローブ情報を一旦蓄積する（同図の（２）参照）。その後、情報提供装置１は、新たなプローブ情報（以下、「新規プローブ情報」という。）を受信すると、既に蓄積しているプローブ情報を利用して新規プローブ情報の正当性を判定する（同図の（３）参照）。
【００４４】
ここで、情報提供装置１は、新規プローブ情報に含まれる受信強度と、新規プローブ情報と同じ走行エリアから送信された他のプローブ情報に含まれている受信強度とに基づき、新規プローブ情報の正当性を判定する。なお、ここでの他のプローブ情報は、新規プローブ情報と同一放送チャンネルに関するものとする。
【００４５】
同図に示す例では、情報提供装置１は、ＸエリアおよびＹエリアから受信した新規プローブ情報を正当と判定し、Ｚエリアから受信した新規プローブ情報を不当と判定する。そして、情報提供装置１は、新規プローブ情報のうち正当と判定したプローブ情報、つまりＸエリアおよびＹエリアから送信された新規プローブ情報のみを用いてエリア情報を更新して最適ＤＢを構築する（同図の（４）参照）。
【００４６】
このため、情報提供装置１によって構築された最適ＤＢに蓄積されるエリア情報には、受信機能に異常をきたした車載装置から受信した誤ったプローブ情報の内容が反映されることがない。したがって、本発明によれば、情報提供装置１によって構築する最適ＤＢの信頼性を向上させることができる。
【００４７】
その後、情報提供装置１は、最適ＤＢから抽出したエリア情報を所定のタイミングで各車載装置へ送信することでエリア情報の提供を行う（同図の（５）参照）。そして、各車載装置は、情報提供装置１から受信したエリア情報に基づき、各走行エリアで受信可能な放送チャンネルの設定を行う（同図の（６）参照）。
【００４８】
このように、同図に示す放送受信システムでは、各車載装置は、信頼性の向上した最適ＤＢから抽出されたエリア情報に基づいて放送チャンネルの設定を行うことができるため、各走行エリアで適切な放送チャンネルを設定することができる。
【００４９】
なお、本発明における放送受信システムでは、情報提供装置１が一旦不当と判定したプローブ情報について、既に蓄積している全てのプローブ情報を用いて再度正当性を判定する。そして、情報提供装置１は、一旦不当と判定したプローブ情報であっても、再度判定した結果正当と判定した場合には、エリア情報の更新に用いる。かかる再判定の詳細については、図７を用いて後述する。
【００５０】
以下では、本発明に係る放送受信システムについての実施例を詳細に説明する。なお、以下に示す実施例では、放送受信装置が車載装置である場合を例に挙げて説明する。なお、本発明における放送受信装置は、車載装置に限定するものではなく、任意の放送受信装置であってもよい。
【実施例】
【００５１】
図３は、本実施例に係る放送受信システム１００の構成を示すブロック図である。同図に示すように、放送受信システム１００は、情報提供装置１および車載装置２を備えている。なお、同図には、放送受信システム１００の特徴を説明するために必要な構成要素のみを示しており、一般的な構成要素については記載を省略している。
【００５２】
同図に示すように、情報提供装置１は、通信部１１と記憶部１２と制御部１３とを備えている。通信部１１は、車載装置２との間で各種情報の送受信を行う通信インターフェースである。また、記憶部１２は、プローブ履歴１２ａおよび最適ＤＢ１２ｂを記憶する不揮発性の情報記憶デバイスである。
【００５３】
ここで、図４および図５を用いて記憶部１２に蓄積されるプローブ履歴１２ａおよび最適ＤＢ１２ｂについて説明する。図４は、本実施例に係るプローブ履歴１２ａの一例を示す図であり、図５は、本実施例に係る最適ＤＢ１２ｂの一例を示す図である。
【００５４】
ここでは、まず、図４を用いてプローブ履歴１２ａの説明を行い、その後、図５を用いて最適ＤＢ１２ｂの説明を行う。本実施例におけるプローブ履歴１２ａは、情報提供装置１が各車載装置２から受信したプローブ情報およびプローブ情報の受信履歴を蓄積して記憶したものである。
【００５５】
具体的には、図４に示すように、プローブ履歴１２ａには、車載装置２が搭載されている車両を識別可能な情報、車種を識別可能な情報、プローブ情報の受信日時、車載装置２によって受信された放送の放送種別、周波数、受信強度、車載装置２の位置がそれぞれ対応付けられて蓄積されている。
【００５６】
たとえば、プローブ履歴１２ａには、車種αの車両Ｎ１から２００９年１月１日の１２時にプローブ情報を受信したこと、プローブ情報を送信した車載装置２が同日時に北緯・・東経・・の位置において周波数ＡのＡＭ放送を受信強度ＸＸＸで受信していたことが記憶されている。
【００５７】
なお、同図ではラジオ放送に関するプローブ履歴１２ａを示している。このため、同図に示すプローブ履歴１２ａでは、放送チャンネルとして周波数が記憶されている。したがって、テレビ放送に関するプローブ履歴では、放送チャンネルとして各放送局に対応するチャンネルが記憶されることになる。
【００５８】
次に、図５を用いて記憶部１２に記憶される最適ＤＢ１２ｂについて説明する。最適ＤＢ１２ｂは、制御部１３によって構築された走行エリア毎に受信可能な放送チャンネルを記憶したＤＢである。特に、最適ＤＢ１２ｂは、情報提供装置１が各車載装置２から受信した複数のプローブ情報のなかで、正当と判定したプローブ情報のみを用いて構築されたＤＢである。
【００５９】
具体的には、図５に示すように、最適ＤＢ１２ｂには、各走行エリアを識別するためのメッシュＩＤ、各走行エリアで放送を受信可能な車種、受信可能な放送種別、周波数、各走行エリアでの各周波数に対応した放送の平均受信強度がそれぞれ対応付けられて蓄積されている。
【００６０】
たとえば、同図に示すように、最適ＤＢ１２ｂには、メッシュＩＤ：ｘｘｘに対応する走行エリアで車種αの車両に搭載されている車載装置では、周波数Ａに対応する放送チャンネルのＡＭ放送を受信強度ＸＸＸで受信可能であることを示す情報などが記憶されている。
【００６１】
そして、情報提供装置１は、同図に示す最適ＤＢ１２ｂに蓄積しているエリア情報を所定のタイミングで各車載装置２へ送信する。なお、情報提供装置１が車載装置２へエリア情報を送信するタイミングとしては、たとえば、前回の送信から所定時間が経過したタイミングやエリア情報の更新回数が所定回数に達したタイミングなど、任意のタイミングとすることができる。また、情報提供装置１は、車載装置２から要求を受付けた場合に、要求の応答としてエリア情報を送信してもよい。
【００６２】
図３の説明に戻り、情報提供装置１の制御部１３は、車種判別部１３ａ、正規分布作成部１３ｂ、受信強度正当性判定部１３ｃ、自車履歴比較判定部１３ｄ、全車履歴比較判定部１３ｅ、最適ＤＢ構築部１３ｆを備えている。
【００６３】
車種判別部１３ａは、プローブ履歴１２ａから新規プローブ情報を読み出し、新規プローブ情報から車両に関する情報を読み出し、読み出した情報に基づいて新規プローブ情報の送信元である車両の車種を判別する処理部である。そして、車種判別部１３ａは、車種の判別結果とともに新規プローブ情報を正規分布作成部１３ｂへ出力する。
【００６４】
正規分布作成部１３ｂは、受信強度正当性判定部１３ｃが新規プローブ情報に含まれる受信強度の正当性を判定する際に使用する正規分布を作成する処理部である。正規分布作成部１３ｂは、新規プローブ情報が送信された走行エリアと同一の走行エリアから送信されたプローブ情報のなかで、新規プローブ情報と放送チャンネルが同一のプローブ情報群をプローブ履歴１２ａから読み出す。
【００６５】
そして、正規分布作成部１３ｂは、プローブ履歴１２ａから読み出したプローブ情報群を用いて新規プローブ情報が送信された走行エリアにおける放送の受信強度に関する正規分布を作成する。
【００６６】
また、正規分布作成部１３ｂは、作成した正規分布内に、受信強度正当性判定部１３ｃが新規プローブ情報に含まれる受信強度の正当性を判定する基準となる正当範囲を設定する。そして、正規分布作成部１３ｂは、正当範囲が設定された正規分布とともに新規プローブ情報を受信強度正当性判定部１３ｃへ出力する。なお、正規分布作成部１３ｂによる正規分布の作成手順および正当範囲の設定手順については、後に図６を用いて詳述する。
【００６７】
また、受信強度正当性判定部１３ｃは、正規分布作成部１３ｂにより作成された受信強度に関する正規分布と新規プローブ情報に含まれる受信強度とを比較することにより、新規プローブ情報に含まれる受信強度が正当か否かを判定する。
【００６８】
そして、受信強度正当性判定部１３ｃは、受信強度が正当であると判定した場合、新規プローブ情報を最適ＤＢ構築部１３ｆへ出力し、受信強度が不当であると判定した場合、新規プローブ情報を自車履歴比較判定部１３ｄへ出力する。
【００６９】
ここで、図６を用いて正規分布作成部１３ｂにより作成される正規分布および正当範囲の設定手順と、受信強度正当性判定部１３ｃによる新規プローブ情報中の受信強度の正当性判定手順について説明する。図６は、本実施例に係る正規分布および正当範囲の設定手順ならびに受信強度の正当性判定手順の一例を示す図である。
【００７０】
正規分布作成部１３ｂは、正規分布を作成する場合、まず、新規プローブ情報が送信された走行エリアと同一の走行エリアから送信されたプローブ情報をプローブ履歴１２ａ内で検索して読み出す。ここで、正規分布作成部１３ｂは、新規プローブ情報と同一放送チャンネルに関するプローブ情報をプローブ履歴１２ａから読み出す。
【００７１】
その後、正規分布作成部１３ｂは、図６（Ａ）に示すように、プローブ履歴１２ａから読み出した各プローブ情報に含まれる受信強度に関する分布関数を正規分布として作成する。なお、図６（Ａ）では、新規プローブ情報の送信された走行エリアが新規プローブ情報に対応する放送チャンネルを受信可能な走行エリアであった場合の正規分布を示している。
【００７２】
同図（Ａ）に示すように、ここでは、新規プローブ情報に対応する放送チャンネルを受信可能な走行エリアから送信されたプローブ情報に基づいて正規分布を作成しているため、受信強度の分布は、比較的良好に受信可能な６０ｄＢ付近に集中している。
【００７３】
つまり、新規プローブ情報を送信した車載装置２の受信機能が正常であれば、新規プローブ情報の受信強度は、６０ｄＢ近傍の値をとるはずである。このため、正規分布作成部１３ｂは、正規分布における受信強度の平均値（ここでは、６０ｄＢ）±σの範囲を正当範囲として設定する。なお、ここでは、正規分布作成部１３ｂは、一例として４０〜８０ｄＢの範囲を正当範囲として設定している。
【００７４】
こうして、正規分布作成部１３ｂにより正規分布が作成され、正当範囲が設定されると、受信強度正当性判定部１３ｃは、新規プローブ情報の受信強度が正当範囲内にあるか否かを判定することで、新規プローブ情報に含まれる受信強度の正当性を判定する。
【００７５】
具体的には、図６（Ｂ）に示すように、受信強度正当性判定部１３ｃは、たとえば、車両Ｎ１の車載装置２から受信した新規プローブ情報の受信強度が５０ｄＢであった場合、受信強度が正当範囲内であるため、車両Ｎ１に搭載されている車載装置２の受信機能を正常と判断して新規プローブ情報の受信強度を正当であると判定する。
【００７６】
同様に、受信強度正当性判定部１３ｃは、車両Ｎ２の車載装置２の受信機能を正常と判断して新規プローブ情報の受信強度を正当であると判定する。
【００７７】
一方、受信強度正当性判定部１３ｃは、車両Ｎ３の車載装置２から受信した新規プローブ情報の受信強度が２５ｄＢであった場合、受信強度が正当範囲外であるため、車両Ｎ３に搭載されている車載装置２の受信機能を異常と判断して新規プローブ情報の受信強度を不当であると判定する。
【００７８】
そして、受信強度正当性判定部１３ｃは、受信強度が正当であると判定した新規プローブ情報を最適ＤＢ構築部１３ｆへ出力し、不当であると判定した新規プローブ情報を自車履歴比較判定部１３ｄへ出力する。
【００７９】
また、正規分布作成部１３ｂは、新規プローブ情報の送信された走行エリアが新規プローブ情報に対応する放送チャンネルを受信不可能な走行エリアであった場合、図６（Ｃ）に示す分布関数を正規分布として作成する。
【００８０】
同図（Ｃ）に示すように、ここでは、新規プローブ情報に対応する放送チャンネルを受信不可能な走行エリアから送信されたプローブ情報に基づいて正規分布を作成しているため、受信強度の分布は、正常には放送を受信できない３０ｄＢ付近に集中している。
【００８１】
つまり、新規プローブ情報を送信した車載装置２の受信機能が正常であれば、新規プローブ情報の受信強度は、３０ｄＢ近傍の値をとるはずである。このため、正規分布作成部１３ｂは、正規分布における受信強度の平均値（ここでは、３０ｄＢ）±σの範囲を正当範囲として設定する。なお、ここでは、正規分布作成部１３ｂは、一例として０〜４０ｄＢの範囲を正当範囲として設定している。
【００８２】
こうして、正規分布作成部１３ｂにより正規分布が作成され、正当範囲が設定されると、受信強度正当性判定部１３ｃは、新規プローブ情報の受信強度が正当範囲内にあるか否かを判定することで、新規プローブ情報に含まれる受信強度の正当性を判定する。
【００８３】
つまり、受信強度正当性判定部１３ｃは、図６（Ｄ）に示すように、車両Ｎ１および車両Ｎ２の車載装置２の受信機能を正常と判断して新規プローブ情報の受信強度を正当であると判定する。また、受信強度正当性判定部１３ｃは、車両Ｎ３の車載装置２の受信強度検出機能に異常があると判断して新規プローブ情報の受信強度を不当であると判定する。
【００８４】
そして、受信強度正当性判定部１３ｃは、受信強度が正当であると判定した新規プローブ情報を最適ＤＢ構築部１３ｆへ出力し、受信強度が不当であると判定した新規プローブ情報を自車履歴比較判定部１３ｄへ出力する。
【００８５】
なお、正規分布作成部１３ｂが正規分布作成のためにプローブ履歴１２ａから読み出すプローブ情報は、新規プローブ情報が送信された走行エリアを分割したサブエリアのなかで新規プローブ情報の送信位置を含むサブエリアから送信されたプローブ情報であってもよい。
【００８６】
このように、正規分布作成部１３ｂは、新規プローブ情報が送信された位置を含むサブエリアから送信されたプローブ情報を読み出した場合、新規プローブ情報が送信された走行エリアよりもさらに狭い範囲の受信環境を想定した正規分布を作成することができる。
【００８７】
図３の説明に戻り、自車履歴比較判定部１３ｄは、新規プローブ情報を送信した車載装置２の同一走行エリアにおける現在および過去の受信可否状態を比較することによって、新規プローブ情報を送信した車載装置２の故障または受信環境の経年変化を推定する処理部である。
【００８８】
そして、自車履歴比較判定部１３ｄは、新規プローブ情報を送信した車載装置２が故障している、または受信環境が経年変化していると推定した場合に、新規プローブ情報を全車履歴比較判定部１３ｅへ出力する。
【００８９】
一方、自車履歴比較判定部１３ｄは、新規プローブ情報を送信した車載装置２が故障しておらず、且つ受信環境が経年変化していないと推定した場合、新規プローブ情報を最適ＤＢ構築部１３ｆへ出力する。なお、自車履歴比較判定部１３ｄによる判定手順については、後に図７を用いて詳述する。
【００９０】
また、全車履歴比較判定部１３ｅは、新規プローブ情報を送信した車載装置２による放送の受信可否状態と、新規プローブ情報と同一走行エリアから同一放送チャンネルに関するプローブ情報を送信した全ての車載装置２による受信可否状態とを比較することで新規プローブ情報を送信した車載装置２の故障を判定する処理部である。
【００９１】
そして、全車履歴比較判定部１３ｅは、新規プローブ情報を送信した車載装置２が故障していると判定した場合、新規プローブ情報をプローブ履歴１２ａから削除する。一方、全車履歴比較判定部１３ｅは、新規プローブ情報を送信した車載装置２が故障していないと判定した場合、新規プローブ情報を最適ＤＢ構築部１３ｆへ出力する。
【００９２】
ここで、図７を用いて自車履歴比較判定部１３ｄおよび全車履歴比較判定部１３ｅによる判定手順について説明する。図７は、本実施例に係る自車履歴比較判定部１３ｄおよび全車履歴比較判定部１３ｅによる判定手順を示す図である。なお、同図では、新規プローブ情報を送信した車載装置２の車両を自車Ｎ、自車以外の車両を他車Ｎｎとして説明する。
【００９３】
自車履歴比較判定部１３ｄは、受信強度正当性判定部１３ｃから受信強度が不当と判定された新規プローブ情報が入力されると、自車Ｎの車載装置２が過去に同一走行エリアから送信した同一放送チャンネルに関するプローブ情報をプローブ履歴１２ａから読み出す。
【００９４】
そして、自車履歴比較判定部１３ｄは、プローブ履歴１２ａから読み出したプローブ情報の受信強度が所定の受信可能閾値以上であった場合、過去は受信可能状態であったと判定する。一方、自車履歴比較判定部１３ｄは、プローブ履歴１２ａから読み出したプローブ情報の受信強度が所定の受信可能閾値未満であった場合、過去は受信不可能であったと判定する。
【００９５】
そして、自車履歴比較判定部１３ｄは、自車Ｎの車載装置２による現在および過去の受信可否状態が異なっていた場合、自車Ｎの車載装置２が故障している、もしくは新規プローブ情報が送信された走行エリアで受信環境が変化していると推定する。
【００９６】
たとえば、自車履歴比較判定部１３ｄにより、図７（Ａ）に示すように、自車Ｎの車載装置２が過去にＸエリアで新規プローブ情報に対応する放送チャンネルを受信可能であったと判定したとする。
【００９７】
一方、自車履歴比較判定部１３ｄにより、同図（Ａ）に示すように、自車Ｎの車載装置２が、現在Ｘエリアで新規プローブ情報に対応する放送チャンネルを受信不可能であると判定したとする。
【００９８】
このように、同じＸエリアにおいて過去には受信可能であった放送チャンネルの放送が、現在は受信不可能となった場合、自車Ｎの車載装置２が故障している、もしくはＸエリアで受信環境が変化している可能性がある。
【００９９】
なぜなら、たとえば、Ｘエリアに過去には存在しなかった高層建築物が新たに建設された場合や過去に故障していなかった自車Ｎの車載装置２が現在故障していた場合には、現在および過去で受信可否状態が異なるからである。
【０１００】
また、Ｘエリアにおいて過去には受信不可能であった放送チャンネルの放送が、現在は受信可能となったと判定した場合にも、自車Ｎの車載装置２が故障している、もしくはＸエリアで受信環境が変化している可能性がある。
【０１０１】
なぜなら、たとえば、過去にＸエリアに存在していた高層建築物がその後解体された場合、現在および過去で受信可否状態が異なるからである。また、過去に受信不可能を示す正当なプローブ情報を送信していた正常な車載装置２が、その後の故障により誤って同一の走行エリアから受信可能なことを示すプローブ情報を送信した場合にも、現在および過去で受信可否状態が異なる。
【０１０２】
このため、自車履歴比較判定部１３ｄは、自車Ｎの受信可否状態が現在および過去で異なっていた場合、新規プローブ情報を正当とは判定せずに全車履歴比較判定部１３ｅへ出力する。
【０１０３】
一方、自車履歴比較判定部１３ｄは、自車Ｎの受信可否状態が現在および過去で一致していた場合、新規プローブ情報を正当と判定して最適ＤＢ構築部１３ｆへ出力する。
【０１０４】
次に、同図（Ｂ１）、（Ｂ２）を参照して全車履歴比較判定部１３ｅの動作について説明する。全車履歴比較判定部１３ｅは、自車履歴比較判定部１３ｄから新規プローブ情報が入力されると、Ｘエリアから他車Ｎｎの車載装置２によって現在（最近）送信されたプローブ情報をプローブ履歴１２ａから読み出す。ここでプローブ履歴１２ａから読み出されるプローブ情報は、新規プローブ情報と同一の放送チャンネルに関するプローブ情報である。
【０１０５】
なお、ここでの現在（最近）とは、新規プローブ情報が送信された日時から所定期間前の期間（たとえば一週間以内）を示すものである。また、ここでは、全車履歴比較判定部１３ｅは、他車Ｎｎの車載装置２が現在（最近）送信したプローブ情報を読み出す場合を例に挙げているが、自車Ｎの車載装置２が最近送信したプローブ情報も含めて読み出すようにしてもよい。
【０１０６】
そして、全車履歴比較判定部１３ｅは、新規プローブ情報の受信強度と所定の受信可能閾値とを比較して、自車Ｎの車載装置２による現在の受信可否状態を判定する。また、全車履歴比較判定部１３ｅは、プローブ履歴１２ａから読み出したプローブ情報の受信強度と所定の受信可能閾値とを比較して、他車Ｎｎの車載装置２による現在の受信可否状態を判定する。
【０１０７】
その結果、全車履歴比較判定部１３ｅは、現在のＸエリアでの自車Ｎの車載装置２による受信可否状態と、現在のＸエリアでの他車Ｎｎの車載装置２による受信可否状態とが同一でない場合、自車Ｎの車載装置２が故障していると判定する。
【０１０８】
一方、全車履歴比較判定部１３ｅは、現在のＸエリアでの自車Ｎの車載装置２による受信可否状態と、現在のＸエリアでの他車Ｎｎの車載装置２による受信可否状態とが同一であった場合、Ｘエリアの受信環境が最近変化したと判定する。
【０１０９】
たとえば、全車履歴比較判定部１３ｅは、Ｘエリアで自車Ｎが放送を受信不可能なときに、図７（Ｂ１）に示すように、Ｘエリアで現在他車Ｎｎが自車Ｎと同一の放送チャンネルを受信可能であった場合、自車Ｎの車載装置２が故障していると判定する。
【０１１０】
一方、全車履歴比較判定部１３ｅは、Ｘエリアで自車Ｎが放送を受信不可能なときに、図７（Ｂ２）に示すように、Ｘエリアで現在他車Ｎｎも自車Ｎと同一の放送チャンネルを受信不可能であった場合、高層建築物の建設などによりＸエリアの受信環境が最近変化したと判定する。
【０１１１】
そして、全車履歴比較判定部１３ｅは、上記した判定の結果、自車Ｎの車載装置２が故障していると判定した場合、新規プローブ情報を不当と判定してプローブ履歴１２ａから削除する。一方、全車履歴比較判定部１３ｅは、上記した判定の結果、Ｘエリアの受信環境が変化したと判定した場合、新規プローブ情報を正当と判定して最適ＤＢ構築部１３ｆへ出力する。
【０１１２】
このように、全車履歴比較判定部１３ｅは、明らかに故障した車載装置２から送信された不当な新規プローブ情報については、プローブ履歴１２ａから削除することで、後に正規分布作成部１３ｂが作成する正規分布の信頼性を向上させることができる。
【０１１３】
図３の説明に戻り、最適ＤＢ構築部１３ｆは、受信強度正当性判定部１３ｃ、自車履歴比較判定部１３ｄ、全車履歴比較判定部１３ｅから入力されるそれぞれ正当と判定された新規プローブ情報だけを用いて図５に示した最適ＤＢ１２ｂを更新しながら構築する処理部である。
【０１１４】
ここで、図８を用いて最適ＤＢ構築部１３ｆによる最適ＤＢ１２ｂの構築手順について説明する。図８は、本実施例に係る最適ＤＢ１２ｂの構築手順の一例を示す図である。最適ＤＢ構築部１３ｆは、入力される複数の新規プローブ情報の各受信強度を放送チャンネル毎に走行エリア単位で平均化することで、各走行エリアにおける放送チャンネル毎の受信強度を決定する。
【０１１５】
たとえば、図８に示すように、メッシュＩＤ：ｘｘｘで識別されるメッシュＸに対応する走行エリア内で、３台の車両Ｎ１、Ｎ２、Ｎ３の各車載装置２から送信された新規プローブ情報が最適ＤＢ構築部１３ｆへ入力された場合について説明する。
【０１１６】
ここでは、同図に示すように、Ｐ地点の車両Ｎ１の車載装置２から周波数Ａの放送チャンネルを６０ｄＢの受信強度で受信していることを示す新規プローブ情報が送信されたとする。またＱ地点の車両Ｎ２の車載装置２から周波数Ａの放送チャンネルを５５ｄＢの受信強度で受信していることを示す新規プローブ情報が送信されたとする。また、Ｒ地点の車両Ｎ３の車載装置２から周波数Ａの放送チャンネルを５０ｄＢの受信強度で受信していることを示す新規プローブ情報が送信されたとする。
【０１１７】
そして、最適ＤＢ構築部１３ｆは、３台の車両Ｎ１、Ｎ２、Ｎ３の各車載装置２から送信された上記新規プローブ情報が入力されると、３つの新規プローブ情報に含まれる各受信強度を平均化処理することで、メッシュＸの走行エリアに関する受信強度を決定する。
【０１１８】
ここでは、最適ＤＢ構築部１３ｆは、６０ｄＢ、５５ｄＢ、５０ｄＢという３つの受信強度の平均値である５５ｄＢをメッシュＸの走行エリアでの周波数Ａの放送に関する平均受信強度と決定して最適ＤＢ１２ｂへ記憶させる。
【０１１９】
そして、最適ＤＢ構築部１３ｆは、最適ＤＢ１２ｂに記憶させたエリア情報を所定のタイミングで各車載装置２へ送信してエリア情報の提供を行う。
【０１２０】
このように、最適ＤＢ構築部１３ｆは、同一の走行エリアから送信された同一の放送チャンネルに関する複数の受信強度を平均化処理する。そして、最適ＤＢ構築部１３ｆは、平均化処理した値を各走行エリアでの放送チャンネル毎の平均受信強度として最適ＤＢ１２ｂへ記憶させるため、管理するエリア情報の情報量を低減することができる。
【０１２１】
また、最適ＤＢ構築部１３ｆは、最適ＤＢ１２ｂを構築する際に、ある走行エリア内に局地的に所定の放送チャンネルを受信可能な受信可能領域が存在していた場合、受信可能領域の面積が走行エリアの面積に占める割合を算出する。
【０１２２】
そして、最適ＤＢ構築部１３ｆは、算出した割合が所定の割合に満たない場合、ある走行エリア内に局所的な受信可能領域が存在していても、局所的な受信可能領域でのみ受信可能な放送チャンネルは受信不可能として最適ＤＢ１２ｂを構築する。これにより、最適ＤＢ１２ｂで受信可能としている放送チャンネルに関しては、確実に受信可能であることを保障することができる。
【０１２３】
図３の説明に戻り、車載装置２は、通信部２１、記憶部２２、制御部２３を備えている。通信部２１は、情報提供装置１との間で各種情報の送受信を行う通信インターフェースである。また、記憶部２２は、受信強度情報２２ａ、位置情報２２ｂ、車両情報２２ｃ、最適受信ＤＢ２２ｄ、放送局名ＤＢ２２ｅを記憶する不揮発性の情報記憶デバイスである。
【０１２４】
ここで、受信強度情報２２ａは、車載装置２により受信した放送チャンネル毎の受信強度を示す情報である。なお、受信強度情報２２ａは、アンテナにより受信した放送信号の電界強度を検知するセンサ３から入力される情報である。
【０１２５】
また、位置情報２２ｂは、車両（自車両）の走行位置を示す情報である。なお、位置情報２２ｂは、ＧＰＳ（Global  Positioning  System）衛星から受信した信号および予め記憶した地図情報に基づき自車両の位置を特定する機能を備えたナビゲーション装置４から入力される情報である。
【０１２６】
また、車両情報２２ｃは、たとえば、自車両の登録ナンバーなどの各車両を識別可能な情報および各車両の車種やグレードを識別可能な情報を含む情報である。また、最適受信ＤＢ２２ｄは、自車両の走行エリアで受信可能な放送チャンネルに関するエリア情報が記憶されたＤＢである。
【０１２７】
また、放送局名ＤＢ２２ｅは、各放送チャンネルに対応する放送局の局名に関する情報が記憶されたＤＢである。なお、最適受信ＤＢ２２ｄは、情報提供装置１から受信する情報であり、放送局名ＤＢ２２ｅは予め車載装置２が記憶している情報である。
【０１２８】
また、制御部２３は、車載装置２全体の動作を統括制御する処理部であり、たとえば、ＣＰＵ（Central  Processing  Unit）とＲＯＭ（Read  Only  Memory）とＲＡＭ（Random  Access  Memory）とを有する情報処理装置により構成している。
【０１２９】
そして、制御部２３は、ＣＰＵがＲＯＭから各種プログラムを読出し、ＲＡＭを作業領域として使用して実行することにより機能するプローブ情報生成部２３ａおよび受信可能チャンネル設定部２３ｂを備えている。
【０１３０】
プローブ情報生成部２３ａは、記憶部２２から放送チャンネル毎の受信強度情報２２ａ、位置情報２２ｂ、車両情報２２ｃを読み出し、読み出した各情報を放送チャンネル毎に関連付けることで放送チャンネル別にプローブ情報を生成する処理部である。そして、プローブ情報生成部２３ａは、生成したプローブ情報を定期的または放送を受信したタイミングで通信部２１を介して情報提供装置１へ送信する。
【０１３１】
受信可能チャンネル設定部２３ｂは、記憶部２２から最適受信ＤＢ２２ｄおよび放送局名ＤＢ２２ｅに記憶されている情報を読み出し、自車両の走行エリアで受信可能な放送チャンネルを自動的に設定する処理部である。たとえば、受信可能チャンネル設定部２３ｂは、それまで受信できていた放送チャンネルが車両の走行によって受信できなくなった場合に、走行先の走行エリアで受信可能な放送チャンネルへ自動的に切換えるネットワークフォロー処理を行う。
【０１３２】
また、受信可能チャンネル設定部２３ｂは、自車両の走行によって車載装置２の位置する走行エリアが替わった場合、走行先の走行エリアで受信可能な複数の放送チャンネルを自動的にバックグラウンドで設定するエリアプリセット処理を行う。
【０１３３】
ここで、図９〜図１１を用いて受信可能チャンネル設定部２３ｂの構成および動作について説明する。図９は、本実施例に係る受信可能チャンネル設定部２３ｂの構成を示すブロック図である。また、図１０は、本実施例に係るエリアプリセットの手順を示す図であり、図１１は、本実施例に係るネットワークフォローの手順を示す図である。
【０１３４】
図９に示すように、受信可能チャンネル設定部２３ｂは、走行エリア判定部２３１とエリアプリセット部２３２と受信強度判定部２３３とネットワークフォロー部２３４とを備えている。
【０１３５】
走行エリア判定部２３１は、記憶部２２から読み出した位置情報２２ｂに基づいて自車両の走行エリアを判定する処理部である。そして、走行エリア判定部２３１は、走行エリアに関する判定結果をエリアプリセット部２３２および受信強度判定部２３３へ出力する。
【０１３６】
エリアプリセット部２３２は、走行エリア判定部２３１から入力される判定結果に基づき、自車両の走行エリアが替わったことを検知した場合にエリアプリセットを行う処理部である。そして、エリアプリセット部２３２は、最適受信ＤＢ２２ｄおよび放送局名ＤＢ２２ｅから読み出した情報を用いてエリアプリセットを行う。
【０１３７】
また、エリアプリセット部２３２は、エリアプリセットされた所定数の放送チャンネルに対応する各放送局の局名を表示部５で表示させる。
【０１３８】
また、受信強度判定部２３３は、記憶部２２から読み出した受信強度情報２２ａに基づき、現在受信中の放送チャンネルについて放送の受信強度を判定する処理部である。そして、受信強度判定部２３３は、受信強度の判定結果および走行エリア判定部２３１から入力される走行エリアの判定結果を対応付けた情報をネットワークフォロー部２３４へ出力する。
【０１３９】
ネットワークフォロー部２３４は、自車両が走行先に存在する次の走行エリアへ進入することで受信中の放送チャンネルを受信できなくなる場合に、ネットワークフォローを行う処理部である。そして、ネットワークフォロー部２３４は、最適受信ＤＢ２２ｄおよび放送局名ＤＢ２２ｅから読み出した情報を用いてネットワークフォローを行う。
【０１４０】
ここで、図１０を用いてエリアプリセット部２３２によるエリアプリセットの手順について説明する。ここでは、自車両がメッシュＸに対応する走行エリアへ進入した場合を例に挙げて説明する。なお、エリアプリセット部２３２は、車両が同一の走行エリアを走行中に受信強度の低下を検出した場合にもエリアプリセットを実行することができる。
【０１４１】
エリアプリセット部２２３は、自車両がそれまで走行していた走行エリアから新たにメッシュＸの走行エリアへ進入した場合、最適受信ＤＢ２２ｄから同図に示すエリア情報を読み出す。さらに、エリアプリセット部２２３は、放送局名ＤＢ２２ｅから同図（Ｂ）に示す局名リストを読み出す。
【０１４２】
同図（Ａ）に示すように、メッシュＸに関するエリア情報は、メッシュＸのメッシュＩＤ、メッシュＸで受信可能な放送の放送種別、受信可能な周波数、各周波数での受信強度、対応コードがそれぞれ対応付けられたテーブルである。ここでの対応コードとは、周波数（放送チャンネル）毎に固有の識別コードである。
【０１４３】
また、同図（Ｂ）に示すように、メッシュＸに関する局名リストは、対応コード、放送局名、音認読み１、音認読み２がそれぞれ対応付けられたテーブルである。ここでの対応コードも周波数（放送チャンネル）毎に固有の識別コードである。また、音認読み１、音認読み２は、同一の周波数を用いる放送局で地域によって局名が異なる放送局の各局名の読みを示す情報である。
【０１４４】
そして、エリアプリセット部２２３は、自車両が走行先に存在していたメッシュＸへ進入した場合に、メッシュＸのエリア情報から受信強度の高い順に所定数（たとえば、８つ）の放送チャンネルの周波数を抽出し、受信可能な放送チャンネルとして設定する。
【０１４５】
さらに、エリアプリセット部２２３は、設定した各放送チャンネルの周波数に対応する対応コードと同一の対応コードを局名リストから抽出し、抽出した対応コードに対応付けられている各放送局名を選択する。
【０１４６】
そして、エリアプリセット部２２３は、同図（Ｃ）に示すように、選択した局名を表示部５で表示させる。なお、エリアプリセット部２２３は、ユーザによって予め音認読み１または音認読み２が設定されていた場合、設定されている音認読みを選局時に音声出力する。
【０１４７】
このように、エリアプリセット部２２３は、自車両の走行エリアで受信強度の高い順に放送チャンネルを選択して設定するため、各走行エリアで適切な放送チャンネルを設定することができる。
【０１４８】
しかも、エリアプリセット部２２３がエリアプリセットを行う際に参照するエリア情報は、情報提供装置１によって正当と判定されたプローブ情報だけを用いて更新されたエリア情報であるため信頼性が高い。したがって、エリアプリセット部２２３は、各走行エリアで的確に受信可能な放送チャンネルを選択してエリアプリセットを行うことができる。
【０１４９】
また、車載装置２には、前述のように放送局名ＤＢ２２ｅが予め記憶されている。そして、エリアプリセット部２２３は、エリア情報および局名リストの各対応コードを照合することで各放送チャンネルと対応する放送局名を抽出することができる。
【０１５０】
このため、車載装置２は、情報提供装置１から受信するエリア情報に放送局名や音認読みなどが含まれていなくても、各放送チャンネルに対応する放送局名を抽出することができる。したがって、車載装置２は、情報提供装置１から受信する情報量を低減できるので通信料の低減を図ることができる。
【０１５１】
次に、図１１を用いてネットワークフォロー部２３４によるネットワークフォローの手順について説明する。ここでは、自車両がメッシュＸからメッシュＺへ進入した後に、受信中の周波数Ａの放送に関する受信強度が低下した場合を例に挙げて説明する。
【０１５２】
また、ここでは、メッシュＸのエリア情報における周波数Ａの平均受信強度が周波数Ｂの平均受信強度よりも高く、メッシュＹの情報における周波数Ｂの平均受信強度が周波数Ａの平均受信強度よりも高いものとする。
【０１５３】
また、ここでは、メッシュＸ、メッシュＺ、メッシュＹの順に各エリア情報における周波数Ａの平均受信強度が段階的に低くなり、メッシュＸ、メッシュＺ、メッシュＹの順に各のエリア情報における周波数Ｂの平均受信強度が段階的に高くなるものとする。
【０１５４】
同図に示すように、ネットワークフォロー部２３４は、自車両がメッシュＸからメッシュＺへ進入した後に、周波数Ａで受信している放送の受信強度が低下したことを検知した場合、最適受信ＤＢ２２ｄを参照する（同図の（１）参照）。
【０１５５】
そして、ネットワークフォロー部２３４は、自車両が走行先に存在するメッシュＹへ進入する前に、最適受信ＤＢ２２ｄからメッシュＹに関するエリア情報を読み出し、メッシュＹで設定すべき放送チャンネルを検索する。
【０１５６】
具体的には、ネットワークフォロー部２３４は、まず、メッシュＹの局名リストから周波数Ａで放送している放送局と同じ放送系列に属する他の放送局を検索する。そして、ネットワークフォロー部２３４は、検索した放送局に対応付けられている対応コードをメッシュＹの局名リストから抽出する。
【０１５７】
続いて、ネットワークフォロー部２３４は、メッシュＹに関するエリア情報を読み出し、メッシュＹの局名リストから抽出した対応コードと同一の対応コードに対応付けられている周波数をメッシュＹのエリア情報から検索する。ここで、検索の結果、周波数Ｂが検索されたとする。
【０１５８】
そして、ネットワークフォロー部２３４は、メッシュＹのエリア情報で周波数Ｂに対応付けられている受信強度が周波数Ａに対応付けられている受信強度よりも高いと判定したとする（同図の（２）参照）。
【０１５９】
すると、ネットワークフォロー部２３４は、後に自車両がメッシュＺからメッシュＹへ進入したタイミングで受信する放送チャンネルを周波数Ａから周波数Ｂへ切換えることでネットワークフォローを行う（同図の（３）参照）。
【０１６０】
このように、ネットワークフォロー部２３４は、自車両がメッシュＹへ進入する前に、予めメッシュＹで設定すべき放送チャンネルを検索しておくため、メッシュＹへ進入後速やかに放送チャンネルを周波数Ａから周波数Ｂへ切換えることができる。
【０１６１】
しかも、ネットワークフォロー部２３４がネットワークフォローを行う際に参照するエリア情報は、情報提供装置１によって正当と判定されたプローブ情報だけを用いて更新されたエリア情報であるため信頼性が高い。したがって、ネットワークフォロー部２３４は、自車両がメッシュＹへ進入したときに、的確に受信可能な放送チャンネルを選択してネットワークフォローを行うことができる。
【０１６２】
なお、ネットワークフォロー部２３４は、受信中の放送に対応する受信強度に変化がない場合であっても、走行先に存在する走行エリアで受信可能な放送チャンネルを予め検索してもよい。
【０１６３】
これにより、ネットワークフォロー部２３４は、たとえば、自車両が図１０に示すメッシュＸからメッシュＺを経由せずにメッシュＹへ進入する場合にも、メッシュＹに進入後受信可能な周波数Ｂへ的確に放送チャンネルを切換えることができる。
【０１６４】
次に、図１２〜１４を用いて情報提供装置１の制御部１３が実行する処理手順について説明する。図１２は、本実施例に係る最適ＤＢ構築処理の処理手順を示すフローチャートであり、図１３は、本実施例に係る正規分布作成処理の処理手順を示すフローチャートであり、図１４は、本実施例に係るプローブ情報の正当性判定処理の処理手順を示すフローチャートである。なお、図１２〜図１４においては、制御部１３が実行する処理手順のうち、最適ＤＢの構築に関する処理手順のみを示す。
【０１６５】
ここでは、最適ＤＢ構築処理、正規分布作成処理、プローブ情報の正当性判定処理の順に説明する。また、以下の説明では、新規プローブ情報を単にプローブ情報という。
【０１６６】
図１２に示すように、制御部１３は、情報提供装置１へ電源が投入されると、最適ＤＢ構築処理を開始する。そして、制御部１３は、最適ＤＢ構築処理を開始すると、プローブ履歴１２ａからプローブ情報を取得する（ステップＳ１０１）。続いて、制御部１３は、正規分布が作成済か否かを判定する（ステップＳ１０２）。
【０１６７】
そして、制御部１３は、正規分布が作成済でないと判定した場合（ステップＳ１０２，Ｎｏ）、図１０に示す正規分布作成処理を実行し（ステップＳ１０３）、その後、処理を終了する。
【０１６８】
また、制御部１３は、正規分布が作成済であると判定した場合（ステップＳ１０２，Ｙｅｓ）、図１１に示すプローブ情報の正当性判定処理を実行する（ステップＳ１０４）。続いて、制御部１３は、プローブ情報の正当性判定処理の結果、プローブ情報が正当であると判定されたか否かを判定する（ステップＳ１０５）。
【０１６９】
そして、制御部１３は、プローブ情報が正当でないと判定された場合（ステップＳ１０５，Ｎｏ）、不当と判定されたプローブ情報をプローブ履歴１２ａから削除して（ステップＳ１０７）、処理をステップＳ１０８へ移す。
【０１７０】
また、制御部１３は、プローブ情報が正当であると判定された場合（ステップＳ１０５，Ｙｅｓ）、正当と判定されたプローブ情報を用いて最適ＤＢ１２ｂを構築する（ステップＳ１０６）。
【０１７１】
続いて、制御部１３は、正当と判定されたプローブ情報の蓄積または不当と判定されたプローブ情報の削除に伴う正規分布の更新処理を行い（ステップＳ１０８）、その後、処理を終了する。そして、制御部１３は、情報提供装置１へ電源が投入されている期間、ステップＳ１０１〜ステップＳ１０８の処理を繰り返し実行する。
【０１７２】
次に、制御部１３がステップＳ１０３で行う正規分布作成処理について説明する。図１３に示すように、制御部１３は、正規分布作成処理を開始すると、まず各車載装置２から受信したプローブ情報をプローブ履歴１２ａへ蓄積する（ステップＳ２０１）。
【０１７３】
続いて、制御部１３は、プローブ履歴１２ａへ蓄積されたプローブ情報の受信強度を正規分布化することによって、正規分布を作成する（ステップＳ２０２）。その後、制御部１３は、生成した正規分布における受信強度の平均値を算出し、算出した平均値±σの範囲を正当範囲として設定し（ステップＳ２０３）、処理を終了する。
【０１７４】
次に、制御部１３がステップＳ１０４で実行するプローブ情報の正当性判定処理について説明する。図１４に示すように、制御部１３は、プローブ情報の正当性判定処理を開始すると、まずプローブ情報の受信強度が正規分布に設定された正当範囲外か否かを判定する（ステップＳ３０１）。
【０１７５】
そして、制御部１３は、受信強度が正当範囲内であると判定した場合（ステップＳ３０１，Ｎｏ）、受信したプローブ情報を正当と判定し（ステップＳ３０６）、処理を終了する。また、制御部１３は、受信強度が正当範囲外であると判定した場合（ステップＳ３０１，Ｙｅｓ）、プローブ情報を送信した車載装置２に関する過去のプローブ履歴１２ａが存在するか否かを判定する（ステップＳ３０２）。
【０１７６】
そして、制御部１３は、プローブ履歴１２ａが存在しないと判定した場合（ステップＳ３０２，Ｎｏ）、処理をステップＳ３０４へ移す。また、制御部１３は、プローブ履歴１２ａが存在すると判定した場合（ステップＳ３０２，Ｙｅｓ）、プローブ情報を送信した車載装置２の現在および過去の受信可否状態が異なるか否かを判定する（ステップＳ３０３）。
【０１７７】
そして、制御部１３は、現在および過去の受信可否状態が一致していると判定した場合（ステップＳ３０３，Ｎｏ）、受信したプローブ情報を正当と判定し（ステップＳ３０６）、処理を終了する。
【０１７８】
また、制御部１３は、現在および過去の受信可否状態が異なると判定した場合（ステップＳ３０３，Ｙｅｓ）、受信したプローブ情報の送信元である自車の受信可否状態と、受信したプローブ情報が送信された走行エリアで同一の放送チャンネルを最近受信した他車の受信可否状態とが異なるか否かの判定を行う（ステップＳ３０４）。
【０１７９】
そして、制御部１３は、自車および他車の受信可否状態が一致すると判定した場合（ステップＳ３０４，Ｎｏ）、受信したプローブ情報を正当と判定し（ステップＳ３０６）、処理を終了する。また、制御部１３は、自車および他車の受信可否状態が異なると判定した場合（ステップＳ３０４，Ｙｅｓ）、受信したプローブ情報を不当と判定し（ステップＳ３０５）、処理を終了する。
【０１８０】
このように、放送受信システム１００では、情報提供装置１が各車載装置２から受信した各プローブ情報に対して正当性の判定を行い、判定の結果不当と判定したプローブ情報を除外し、正当であると判定したプローブ情報のみを用いて最適ＤＢ１２ｂを構築する。しがたって、最適ＤＢ１２ｂの信頼性を向上させることができる。
【０１８１】
また、本実施例では、自車履歴比較判定部１３ｄおよび全車履歴比較判定部１３ｅが新規プローブ情報と比較するプローブ情報をプローブ履歴１２ａから読み出す場合に、新規プローブ情報と同一の走行エリアから送信された同一の放送チャンネルに関するプローブ情報を読み出しているが、以下のプローブ情報を読み出してもよい。
【０１８２】
すなわち、自車履歴比較判定部１３ｄおよび全車履歴比較判定部１３ｅは、新規プローブ情報が送信された走行エリアを分割したサブエリアのなかで新規プローブ情報が送信された位置を含むサブエリアから送信されたプローブ情報を読み出してもよい。
【０１８３】
このように、新規プローブ情報が送信された位置を含むサブエリアから送信されたプローブ情報を読み出した場合、新規プローブ情報が送信されたエリアよりもさらに狭い範囲に限定して、自車および他車に搭載された各車載装置２による受信可否状態を判定することができる。しがって、新規プローブ情報の信頼性をより一層厳密に判定することができる。
【０１８４】
次に、図１５を用いて車載装置２が行うエリアプリセット処理の処理手順について説明する。図１５は、本実施例に係るエリアプリセット処理の処理手順を示すフローチャートである。
【０１８５】
同図に示すように、車載装置２の制御部２３は、自車両が走行先に存在する次の走行エリアへ進入したか否かの判定を行う（ステップＳ４０１）。そして、制御部２３は、次の走行エリアへ進入していないと判定した場合（ステップＳ４０１，Ｎｏ）、処理を終了する。
【０１８６】
一方、制御部２３は、自車両が次の走行エリアへ進入したと判定した場合（ステップＳ４０１，Ｙｅｓ）、最適受信ＤＢ２２ｄおよび放送局名リスト２２ｅを参照する（ステップＳ４０２）。続いて、制御部２３は、最適受信ＤＢ２２ｄに記憶されているエリア情報から受信強度の高い上位所定数の放送チャンネルを選択してエリアプリセットを行い（ステップＳ４０３）、処理を終了する。
【０１８７】
次に、図１６を用いて車載装置２が行うネットワークフォロー処理の処理手順について説明する。図１６は、本実施例に係るネットワークフォロー処理の処理手順を示すフローチャートである。
【０１８８】
同図に示すように、車載装置２の制御部２３は、自車両が現在走行している走行エリアで受信中の放送チャンネルについて受信強度が低下したか否かの判定を行う（ステップＳ５０１）。そして、制御部２３は、受信強度が低下していないと判定した場合（ステップＳ５０１，Ｎｏ）、処理を終了する。
【０１８９】
一方、制御部２３は、受信強度が低下したと判定した場合（ステップＳ５０１，Ｙｅｓ）、最適受信ＤＢ２２ｄおよび放送局名リスト２２ｅを参照する（ステップＳ５０２）。
【０１９０】
続いて、制御部２３は、ステップＳ５０２で参照した最適受信ＤＢ２２ｄのエリア情報に基づき、走行先に存在する次の走行エリアでの受信強度低下を予測できたか否かの判定を行う（ステップＳ５０３）。そして、制御部２３は、受信強度低下を予測できないと判定した場合（ステップＳ５０３，Ｎｏ）、処理を終了する。
【０１９１】
一方、制御部２３は、受信強度低下を予測できたと判定した場合（ステップＳ５０３，Ｙｅｓ）、ステップＳ５０２で参照した放送局名ＤＢ２２ｅの局名リストに基づき、次の走行エリアでより受信強度の高い同系列（同じ放送系列）に属する放送チャンネルがあるか否かの判定を行う（ステップＳ５０４）。
【０１９２】
そして、制御部２３は、同系列の放送チャンネルがないと判定した場合（ステップＳ５０４，Ｎｏ）、処理を終了する。一方、制御部２３は、同系列の放送チャンネルがあると判定した場合（ステップＳ５０４，Ｙｅｓ）、自車両が次の走行エリアへ進入したか否かの判定を行う（ステップＳ５０５）。
【０１９３】
そして、制御部２３は、自車両が次の走行エリアへ進入するまでステップＳ５０５の判定処理を繰り返す（ステップＳ５０５，Ｎｏ）。そして、制御部２３は、自車両が次の走行エリアへ進入したと判定した場合（ステップＳ５０５，Ｙｅｓ）、受信する放送チャンネルをステップＳ５０４で検索した放送チャンネルへ切換え（ステップＳ５０６）、処理を終了する。
【０１９４】
なお、制御部２３は、ステップＳ５０４で同系列の放送チャンネルがなかった場合、自車両が次の走行エリアへ進入したときに、受信可能な他系列の放送チャンネルへ受信する放送チャンネルを切換えてもよい。
【０１９５】
上述してきたように、本実施例に係る放送受信システム１００では、車載装置２が情報提供装置１によって構築された信頼性の高い最適ＤＢ１２ｂのエリア情報を用いてエリアプリセットおよびネットワークフォローを行う。したがって、車載装置２は、自車両の各走行エリアで適切な放送チャンネルを設定することができる。
【０１９６】
次に、図１７および図１８を用いて車載装置２が行うネットワークフォロー処理の変形例について説明する。本変形例では、車載装置２が最適受信ＤＢ２２ｄを記憶していない場合に実行するネットワークフォロー処理について説明する。
【０１９７】
図１７は、本変形例に係るネットワークフォロー処理の処理手順を示すフローチャートであり、図１８は、本変形例に係るネットワークフォロー処理を実現するために情報提供装置１が実行する処理を示すフローチャートである。
【０１９８】
本変形例では、車載装置２の制御部２３は、図１７に示すように、自車両が現在走行している走行エリアで受信中の放送チャンネルについて受信強度が低下したか否かの判定を行う（ステップＳ６０１）。そして、制御部２３は、受信強度が低下していないと判定した場合（ステップＳ６０１，Ｎｏ）、処理を終了する。
【０１９９】
一方、制御部２３は、受信強度が低下したと判定した場合（ステップＳ６０１，Ｙｅｓ）、情報提供装置１へネットワークフォローリストの要求を送信する（ステップＳ６０２）。なお、ネットワークフォローリストとは、自車両が走行先に存在する次の走行エリアへ進入した場合に、受信する放送チャンネルとして設定すべき放送チャンネルのリストである。
【０２００】
ここで、制御部２３は、自車両の位置、走行経路および受信中の放送チャンネルを示す情報を含む要求を情報提供装置１へ送信する。続いて、制御部２３は、情報提供装置１からネットワークフォローリストを受信したか否かの判定を行う（ステップＳ６０３）。
【０２０１】
そして、制御部２３は、たとえば、所定時間内にネットワークフォローリストを受信できなかった場合（ステップＳ６０３，Ｎｏ）、処理を終了する。一方、制御部２３は、ネットワークフォローリストを受信したと判定した場合（ステップＳ６０３，Ｙｅｓ）、自車両が次の走行エリアへ進入したか否かの判定を行う（ステップＳ６０４）。
【０２０２】
ここで、制御部２３は、自車両が次の走行エリアへ進入するまでステップＳ６０４の処理を繰り返す（ステップＳ６０４，Ｎｏ）。そして、制御部２３は、自車両が次の走行エリアへ進入したと判定した場合（ステップＳ６０４，Ｙｅｓ）、ネットワークフォローリストに基づき、受信する放送チャンネルを切換え（ステップＳ６０５）、処理を終了する。
【０２０３】
次に、図１８を用いて本変形例に係るネットワークフォロー処理の処理手順を実現するために情報提供装置１が実行する処理について説明する。同図に示すように、情報提供装置１の制御部１３は、車載装置２からネットワークフォローリストの要求を受信したか否かの判定を行う（ステップＳ７０１）。
【０２０４】
そして、制御部１３は、ネットワークフォローリストの要求を受信していないと判定した場合（ステップＳ７０１，Ｎｏ）、処理を終了する。一方、制御部１３は、ネットワークフォローリストの要求を受信したと判定した場合（ステップＳ７０１，Ｙｅｓ）、ネットワークリストを作成する（ステップＳ７０２）。
【０２０５】
ここで、制御部１３は、車載装置２から受信した要求に含まれる車両の位置、走行経路および放送チャンネルを示す情報に基づき、走行経路上に存在する次の走行エリアに関するエリア情報を最適ＤＢ１２ｂから検索する。
【０２０６】
そして、制御部１３は、検索したエリア情報から、車載装置２で受信されている放送チャンネルと同一放送系列に属する放送チャンネルを受信強度の高い順に選択することでネットワークフォローリストを作成する。
【０２０７】
続いて、制御部１３は、作成したネットワークフォローリストを要求の送信元である車載装置２へ送信して（ステップＳ７０３）、処理を終了する。
【０２０８】
このように、本変形例では、車載装置２は、情報提供装置１から受信したネットワークフォローリストに基づいてネットワークフォローを行うことができるため、最適受信ＤＢ２２ｄを記憶しておく必要がない。
【０２０９】
しかも、ネットワークフォローリストは、情報提供装置１によって作成された信頼性の高い情報であるため、車載装置２は、ネットワークフォローを行う際に、受信可能な放送チャンネルを確実に設定することができる。
【符号の説明】
【０２１０】
１００  放送受信システム
１  情報提供装置
１１  通信部
１２  記憶部
１２ａ  プローブ履歴
１２ｂ  最適ＤＢ
１３  制御部
１３ａ  車種判別部
１３ｂ  正規分布作成部
１３ｃ  受信強度正当性判定部
１３ｄ  自車履歴比較判定部
１３ｅ  全車履歴比較判定部
１３ｆ  最適ＤＢ構築部
２  車載装置
２１  通信部
２２  記憶部
２２ａ  受信強度情報
２２ｂ  位置情報
２２ｃ  車両情報
２２ｄ  最適受信ＤＢ
２２ｅ  放送局名ＤＢ
２３  制御部
２３ａ  プローブ情報生成部
２３ｂ  受信可能チャンネル設定部
２３１  走行エリア判定部
２３２  エリアプリセット部
２３３  受信強度判定部
２３４  ネットワークフォロー部
【図１】
2011139173.tif 000003
【図２】
2011139173.tif 000004
【図３】
2011139173.tif 000005
【図４】
2011139173.tif 000006
【図５】
2011139173.tif 000007
【図６】
2011139173.tif 000008
【図７】
2011139173.tif 000009
【図８】
2011139173.tif 000010
【図９】
2011139173.tif 000011
【図１０】
2011139173.tif 000012
【図１１】
2011139173.tif 000013
【図１２】
2011139173.tif 000014
【図１３】
2011139173.tif 000015
【図１４】
2011139173.tif 000016
【図１５】
2011139173.tif 000017
【図１６】
2011139173.tif 000018
【図１７】
2011139173.tif 000019
【図１８】
2011139173.tif 000020